(57)【特許請求の範囲】
【請求項１】
柱形をなし、下端部が土壌中に押込まれる押込体の側部に管体が取付けられ、該管体の下端に、消毒液タンク内の消毒液を土壌中に噴射すべきノズルを設けてある土壌消毒装置において、前記押込体及びノズルは横方向に離隔した個所で、且つ平面視で略三角形の頂点となる三個所に配してあり、前記ノズルは、前記管体の軸中心と非直角の端面となり、尖鋭部を前記押込体側に配してあることを特徴とする土壌消毒装置。
【発明の詳細な説明】
【技術分野】
【０００１】
本発明は消毒液を土壌中に噴射することにより、土壌を消毒する土壌消毒装置に関する。
【背景技術】
【０００２】
圃場等の土壌を消毒し、土壌中の病原菌、害虫を駆除する土壌消毒液はガス化した臭化メチル剤が使用されていた。しかし、この臭化メチル剤はオゾン層を破壊する物質であるとしてオゾン層保護法により規制対象に指定されたため、近年は代替剤として、薬効が比較的高く、土壌中からのガス抜けも比較的早いクロルピクリン剤が使用されている。
【０００３】
クロルピクリン剤は刺激臭が比較的強く、原液も比較的高価であるため、ダイヤフラムポンプ、及び該ダイヤフラムポンプが送出するクロルピクリン剤を土壌中に注入する液注入爪を備える土壌消毒装置が使用され、クロルピクリン剤を土壌中に間歇的に注入することにより土壌を消毒している（例えば、特許文献１参照）。
【０００４】
ところが、刺激臭が比較的強いクロルピクリン剤を使用することは作業者が刺激臭の環境にさらされることになり、健康上好ましくないし、また、クロルピクリン剤の原液も比較的高価であるため、近年では、刺激臭が比較的弱く、原液も比較的安価で、安全性のある（人畜毒性は普通物、魚毒性はＡ類）カーバムナトリウム塩液剤の土壌消毒液を土壌中に連続的に注入することにより土壌を消毒する土壌消毒装置が開発されている。
【０００５】
この土壌消毒装置は、歩行型トラクタにより牽引される機体に搭載の消毒液タンクと、該使用毒液タンク内の消毒液を送出するポンプと、下端部が土壌中に押込まれる押込体と、該押込体の一側に溶接により固定され、有底筒形をなすノズル保持管と、該ノズル保持管の下端一側に横方向へ開設され、前記ポンプからノズル保持管に供給された消毒液を土壌中で横方向に噴射するノズルと、該ノズルへ供給する消毒液の流量を調整する調整部材とを備える。
【０００６】
このように構成された土壌消毒装置は、押込体及びノズル部分が土壌中へ押込まれた状態で歩行型トラクタにより牽引進行し、ノズルから土壌中へ連続噴射されることにより、土壌消毒が行われる。尚、歩行型トラクタは、作業者に把持されるハンドル側にヒッチがあり、該ヒッチに土壌消毒装置が連結されるため、ハンドルを把持する作業者の前側に土壌消毒装置が配される。また、押込体はノズル保持管の前側に配され、ノズル保持管に供給された消毒液はノズルから後方へ噴射される。また、押込体は、土壌中へ押込まれる際、及び押込状態で牽引進行する際にノズルが破損するのを防ぐものである。
【特許文献１】特開２００３−７５４６２号公報
【発明の開示】
【発明が解決しようとする課題】
【０００７】
ところが、土壌消毒液を土壌中に連続的に注入することにより土壌を消毒する土壌消毒装置のノズルは、ノズル保持管の下端一側に横方向へ開設され、ノズル保持管内に供給された消毒液をノズルから後方（作業者側）へ噴射させるように構成されているため、消毒作業中に圃場で旋回すべく土壌消毒装置が持上げられた際、ノズルから連続噴射されている消毒液が作業者の足に吹付けられることになり、健康上好ましくないという問題がある。また、ノズルに供給される消毒液の流量を調整する調整部材はノズル保持管に設けられているため、土壌中への押込の繰返しにより押込体及びノズルが摩耗し、押込体及びノズルが交換される場合、調整部材も交換されることになり、交換コストが高くなる。また、調整部材がノズル保持管に設けられているため、押込体が広幅となり、注入状態で進行する際の押込体による進行抵抗が増加するという問題もある。
【０００８】
本発明は斯かる事情に鑑みてなされたものであり、主たる目的は押込体の側部に取付けられる管体の下端に設けられているノズルを、前記管体の軸中心と非直角の端面となり、尖鋭部を前記押込体側に配してある構成とすることにより、消毒作業中に圃場で旋回すべく土壌消毒装置が持上げられた際、ノズルから連続噴射中の消毒液が作業者の足に吹付けられるのを防ぐことができるとともに、押込体とともに土壌中へ押込まれるノズルが目詰まりするのを防ぐことができる土壌消毒装置を提供することにある。
【０００９】
また、他の目的は押込体の側部に取付けてある管体を丸パイプとし、該丸パイプの下端にノズルを一体に設けることにより、ノズルを含む押込体のコストを低減することができる土壌注入装置を提供することにある。
【００１０】
また、他の目的は押込体及びノズルが横方向に離隔して複数配してある構成において、ポンプが送出する消毒液を前記ノズル夫々に供給する複数の供給管夫々に、ノズルに供給する消毒液の流量を調整する調整部材を設けることにより、押込体及びノズルの交換コストを低減できるとともに、押込状態で進行する際の押込体による進行抵抗を低減できる土壌消毒装置を提供することにある。
【課題を解決するための手段】
【００１１】
本発明に係る土壌消毒装置は、柱形をなし、下端部が土壌中に押込まれる押込体の側部に管体が取付けられ、該管体の下端に、消毒液タンク内の消毒液を土壌中に噴射すべきノズルを設けてある土壌消毒装置において、前記押込体及びノズルは横方向に離隔した個所で、且つ平面視で略三角形の頂点となる三個所に配してあり、前記ノズルは、前記管体の軸中心と非直角の端面となり、尖鋭部を前記押込体側に配してあることを特徴とする。
【００１２】
第１発明にあっては、消毒液をノズルから下向きに噴射するため、消毒作業中に圃場で旋回すべく土壌消毒装置が持上げられた際、ノズルから連続噴射中の消毒液が作業者の足に吹き付けられるのを防ぐことができ、しかも、ノズルは管体の軸中心と非直角の端面となり、尖鋭部を押込体側に配してあるため、押込体とともに土壌中へ押込まれる際、ノズルの押込抵抗を低減でき、ノズルの端面に当接する土壌を端面に沿って押し除け易く、土壌がノズル内に侵入し難くできる。因って、ノズルの目詰まりを防ぐことができ、土壌中への液注入作業能率を高めることができる。
【発明の効果】
【００１７】
第１発明によれば、消毒液をノズルから下向きに噴射するため、消毒作業中に圃場で旋回すべく土壌消毒装置が持上げられた際、ノズルから連続噴射中の消毒液が作業者の足に吹付けられるのを防ぐことができ、しかも、ノズルは管体の軸中心と非直角の端面となり、尖鋭部を押込体側に配してあるため、押込体とともに土壌中へ押込まれる際のノズルの押込抵抗を低減でき、ノズルの端面に当接する土壌を端面に沿って押し除け易く、土壌がノズル内に侵入し難くできる。因って、ノズルの目詰まりを防ぐことができ、土壌中への液注入作業能率を高めることができる。
【発明を実施するための最良の形態】
【００２０】
以下本発明をその実施の形態を示す図面に基づいて詳述する。図１は本発明に係る土壌消毒装置の構成を示す側面図、図２は土壌消毒装置の構成を示す模式図、図３は押込体及びノズルの構成を示す拡大断面図、図４は調整部材の構成を示す拡大断面図である。
【００２１】
この土壌消毒装置は、歩行型トラクタにより牽引される機体１に搭載の消毒液タンク２と、該消毒液タンク２内の消毒液を送出するポンプ３と、該ポンプ３を駆動するバッテリ４と、機体１に横方向へ離隔して配され、下端部が土壌中に注入される複数の押込体５と、該押込体５の一側に溶接により固定されている複数の管体１０と、該管体１０の下端に設けられているノズル６と、ポンプ３が送出する消毒液を管体１０及びノズル６に供給する複数の供給管７と、該供給管７の途中に配され、管体１０及びノズル６に供給する消毒液の流量を調整する調整部材８と、押込体５により耕起された土壌を鎮圧する鎮圧ローラ９とを備える。
【００２２】
消毒液タンク２は上部の天壁に入出口を有し、該入出口を閉塞する蓋体を備える密閉構造の円筒形をなしており、臭化メチル剤の代替剤として開発されたカーバムナトリウム塩液剤からなる土壌消毒液、詳しくはキルパー（登録商標）剤の原液が収容されている。この土壌消毒液はナトリウム＝メチルジチオカルバマ−トを有効成分とし、刺激臭が比較的弱く、原液も比較的安価であり、また、人畜毒性は普通物、魚毒性はＡ類であり安全性が高い。
【００２３】
押込体５は横断面が平行四辺形をなす角柱体からなり、先鋭側の角部が湾曲されており、進行方向の後側となる一辺に管体１０が溶接により取付けられている。また、押込体５は平面視で二等辺三角形の頂点となる三箇所に配され、横方向の距離を長くすることなく押込体５間の距離を比較的長くするように構成されている。また、押込体５夫々の上部は、機体１に横軸により枢支され、上方の非押込位置への回動を可能になっており、非押込位置へ回動された押込体５に管体１０により取付けられているノズル６への消毒液供給は停止されるようになっており、また、押込位置では機体進行方向と反対方向（後方）への回動が規制され、機体進行時に押込位置での姿勢を維持することができるようになっている。
【００２４】
管体１０は、押込体５の一辺に沿って上下方向に配されている丸パイプであり、該丸パイプの下端にノズル６が一体に設けられており、また、丸パイプの周方向の一部が押込体５に固定されている。
【００２５】
ノズル６は管体１０の軸中心と非直角の端面６ａとなり、該端面６ａの中央に孔６ｂが配され、尖鋭部６ｃが押込体５側に配されており、消毒液を孔６ｂから下方へ噴射するように構成されている。換言すると、丸パイプの下端が軸中心と非直角にカットされている端面６ａとなり、該端面６ａの尖鋭部６ｃが押込体５側に配されている。
【００２６】
供給管７は、可撓性を有するホースからなり、押込体５の回動時には撓むようになっている。また、供給管７は途中から３本に分岐され、分岐された供給管７の途中に調整部材８と、逆止弁１１とが接続されている。また、供給管７のポンプ３側には安全弁１２、及びポンプ始動時に供給管７内の空気を自動的に抜くための空気抜弁１３とが接続されている。
【００２７】
調整部材８は、供給管７の内径よりも小径の貫通孔８１ａを有するオリフィス板８１と、該オリフィス板８１を保持する保持管８２，８３とを有し、該保持管８２，８３が供給管７の途中に接続され、オリフィス板８１により流量を調整するように構成されている。
【００２８】
以上のように構成された土壌消毒装置は、例えば歩行型トラクタのヒッチに連結される。歩行型トラクタは、左右二つの走行輪により支持された機体と、該機体に搭載されたエンジンと、機体から後方へ延出され、作業者に両手で把持されるハンドルと、機体の後部に配されたヒッチとを有し、該ヒッチに機体１の連結部が連結される。
【００２９】
圃場での土壌消毒作業は、作業者が把持する前記ハンドルを下方へ押下げることにより、土壌消毒装置の機体１に下方向への押圧力が加わり、押込体５及びノズル６を図１に示すように土壌中へ押込むことができる。この際、管体１０の下端に設けられているノズル６は、管体１０の軸中心と非直角の端面６ａとなり、尖鋭部６ｃが押込体５側に配されているため、ノズル６の押込抵抗を低減でき、ノズル６の端面６ａに当接する土壌を端面６ａに沿って押し除け易く、土壌がノズル６内に侵入し難くでき、ノズル６の目詰まりを防ぐことができる。
【００３０】
押込体５及びノズル６が押込まれた土壌消毒装置は、歩行型トラクタにより牽引進行し、ポンプ３から送出された消毒液タンク２内の消毒液は、調整部材８により流量が調整され、土壌中のノズル６の孔６ｂから下方へ噴射され、土壌中を消毒することができる。この際、土壌は押込体５によりすじ状に耕起され、耕起された土壌中の押込体５の直後に発生する空間にノズル６が配されるため、消毒液をノズル６から下方へ噴射することができる。
【００３１】
図５は押込体５及びノズル６が土壌表面よりも上方へ引き出された状態を示す説明図である。圃場で旋回する際は、作業者が歩行型トラクタのハンドルを上げ操作することにより、土壌消毒装置の機体１に上方向への引上げ力が加わり、押込体５及びノズル６を土壌表面よりも上方へ引出すことができ、この引出状態で歩行型トラクタにより旋回される。この際、管体１０の下端に設けられているノズル６は、管体１０の軸中心と非直角の端面６ａとなり、尖鋭部６ｃが押込体５側に配され、孔６ｂから下方へ噴射するように構成されているため、連続噴射中の消毒液が作業者の足に吹付けられるのを防ぐことができる。
【００３２】
旋回後は、作業者が把持する前記ハンドルを下方へ押下げることにより、押込体５及びノズル６を図１に示すように土壌中へ押込むことができる。この際、管体１０の下端に設けられているノズル６は、管体１０の軸中心と非直角の端面６ａとなり、尖鋭部６ｃが押込体５側に配されているため、前述したように土壌がノズル６内に侵入し難くでき、ノズル６の目詰まりを防ぐことができる。
【００３３】
圃場での土壌消毒作業において、前作の作物の根張りが強くて三つの押込体５では進行抵抗が大きいような場合、例えば真中に配されている押込体５がノズル６とともに上方へ回動され、真中のノズル６には消毒液が供給されなくなるが、残り二つのノズル６は調整部材８により流量が調整されているため、一定流量の消毒液を噴射することができる。
【００３４】
尚、以上説明した実施の形態では、管体１０を溶接により押込体５に固定したが、その他、管体１０は略Ω形をなすバンド部材などにより固定してもよく、管体１０の固定手段は特に制限されない。
【００３５】
また、以上説明した実施の形態では、土壌消毒装置が歩行型トラクタにより牽引されることについて説明したが、その他、本発明にかかる土壌消毒装置は、乗用型トラクタに搭載されてもよいし、また、自走形作業機に組込まれた構成としてもよい。
【図面の簡単な説明】
【００３６】
【図１】本発明に係る土壌消毒装置の構成を示す側面図である。
【図２】本発明に係る土壌消毒装置の構成を示す模式図である。
【図３】本発明に係る土壌消毒装置の押込体及びノズルの構成を示す拡大断面図である。
【図４】本発明に係る土壌消毒装置の調整部材の構成を示す拡大断面図である。
【図５】本発明に係る土壌消毒装置の押込体及びノズルが土壌表面よりも上方へ引出された状態を示す説明図である。
【符号の説明】
【００３７】
２    消毒液タンク
３    ポンプ
５    押込体
６    ノズル
６ａ  端面
６ｃ  尖鋭部
７    供給管
８    調整部材
【図１】
0004897740.tif 000002
【図２】
0004897740.tif 000003
【図３】
0004897740.tif 000004
【図４】
0004897740.tif 000005
【図５】
0004897740.tif 000006